(57)【要約】【課題】車両に対し追加ダクト無しで内外気ケースを車両側外気吸込口に接続し、他の車両に対しては、追加ダクトを介して、車両側外気吸込口と内外気ケースとを接続できる車両用空調装置を提供する。【解決手段】車両用空調装置は、ブロワケーシング８に車両外部の空気である外気と車両内部を循環する空気である内気とのいずれかを選択して送り込む内外気ケース１を有する。また、車両側外気吸込口３と内外気ケース１との間に設けられた追加ダクト２を有する。内外気ケース１の追加ダクト２を接続する開口部端面１５には、シール面部１６を有し、このシール面部１６は、車両側外気吸込口３に、シール用パッキン１３ｐを介して接続される開口部端面１５の一部から成る。シール面部１６は、追加ダクト２の端部に設けられた凸部１８と凹凸嵌合され、凸部１８と共に嵌合部１７、１８を形成する凹部１７を有する。【選択図】図１
2014218163.tif 000002
【特許請求の範囲】
【請求項１】
内部を空調風が流れ、この空調風の温度を調整する熱交換器が設けられた空調ダクト（２０）と、
前記空調ダクト（２０）内を流れる前記空調風の上流側に設けられ前記空調風を前記空調用ダクト（２０）に送り込むブロワ（９）が内部に設けられたブロワケーシング（８）と、
前記ブロワケーシング（８）に車両外部の空気である外気と、前記車両内部を循環する空気である内気とのいずれかを選択して送り込むダンパ（５）を有する内外気ケース（１）と、
前記内外気ケース（１）に前記外気を送り込むために前記車両側に設けられ前記外気を吸い込む車両側外気吸込口（３）と前記内外気ケース（１）との間に設けられた追加ダクト（２）と、を備え、
前記内外気ケース（１）の前記追加ダクト（２）を接続する開口部端面（１５）にシール面部（１６）を有し、
前記シール面部（１６）は、前記車両側外気吸込口（３）に、シール用パッキン（１３ｐ）を介して接続される開口部端面（１５）の一部から成り、
前記シール面部（１６）は、前記追加ダクト（２）の端部に設けられた凸部（１８）と凹凸嵌合され、前記凸部（１８）と共に嵌合部（１７、１８）を形成する凹部（１７）を有することを特徴とする車両用空調装置。
【請求項２】
前記追加ダクト（２）の端部は、前記追加ダクト（２）と前記内外気ケース（１）とが接続された場合に、前記シール面部（１６）よりも前記内外気ケース（１）の内部に進入する環状の壁部（１９）を有していることを特徴とする請求項１に記載の車両用空調装置。
【請求項３】
前記シール面部（１６）は、前記シール用パッキン（１３ｐ）を配設するための環状の平坦部（１６）を有し、前記平坦部（１６）は、前記平坦部（１６）の内周側に前記外気が導入される外気導入口（７）を有し、前記平坦部（１６）内に前記凹部（１７）が形成されていることを特徴とする請求項１または２に記載の車両用空調装置。
【請求項４】
前記凸部（１８）は、前記内外気ケース（１）の外気導入口（７）の周りを環状に取囲む環状凸部（１８）から成り、前記環状の壁部（１９）は、前記環状凸部（１８）の内周側に設けられていることを特徴とする請求項１ないし３のいずれか一項に記載の車両用空調装置。
【請求項５】
前記内外気ケース（１）と前記追加ダクト（２）とが凹凸嵌合された場合に、前記凸部（１８）と前記環状の壁部（１９）とが並行して設けられ、
前記シール面部（１６）から前記凸部（１８）の先端までの高さ（Ｈ１）よりも、前記シール面部（１６）から前記環状の壁部（１９）の先端までの高さ（Ｈ２）の方が高くされていることを特徴とする請求項１ないし４のいずれか一項に記載の車両用空調装置。
【発明の詳細な説明】
【技術分野】
【０００１】
本発明は、車両の室内を空調する車両用空調装置に関するものである。特に、内気と外気とから選択的に空気を吸い込んで空調ダクトに空気を送り込む車両用空調装置の内外気切替装置に関するものである。
【背景技術】
【０００２】
従来、特許文献１に記載の車両用内外気切替装置が知られている。車両用空調装置は、内部に蒸発器や凝縮器といった熱交換器を有する空調ダクトを備えている。この空調ダクトの上流側には、内外気切替装置が設けられている。
【０００３】
この内外気切替装置は、車両用空調装置の空調ダクトに空調風を送り込むブロワがブロワケーシング内に収納されている。ブロワケーシングの上端にダンパを収納する内外気ケースが設けられている。内外気ケースの一方には内気を導入する内気導入口が設けられ、他方には外気を導入する外気導入口が設けられている。
【先行技術文献】
【特許文献】
【０００４】
【特許文献１】特開平４−３２８０１６号公報
【発明の概要】
【発明が解決しようとする課題】
【０００５】
この外気導入口は、車両側に設けられ、外気を吸い込む車両側外気吸込口に接続される。そして、外気導入口と車両側外気吸込口との接続面には、シール用パッキンをはさみ込み、接続部のシールが成されている。ここで、一つの内外気ケースを異なる車両間において共用する場合、内外気ケースの外気導入口と車両側外気吸込口とを接続しなければならないが、一つの車両に合わせて、内外気ケースの大きさを設定すると、他の車両には適合しないという問題を生じる。
【０００６】
そこで、追加ダクトを設け、かつ、車両毎に夫々長さの異なる追加ダクトを設定し、内外気ケースと車両側外気吸込口との間を追加ダクトで接続することが考えられる。しかし、この追加ダクトは、追加ダクトと車両側外気吸込口との間に、シール用パッキンを設けて気密および防水構造を採用しなければならず、かつ、追加ダクトと内外気ケースとの間にもシール用パッキンを設けて、気密および防水構造を設定する必要がある。また、内外気ケースと追加ダクトとが結合できる構造が必要と成り、きわめて複雑な構造が要求される。
【０００７】
本発明は、このような問題点に鑑み、車両に対し追加ダクト無しで内外気ケースを車両側外気吸込口に接続し、他の車両に対しては、追加ダクトを介して車両側外気吸込口と内外気ケースとを接続できる車両用空調装置を提供することを目的とする。
【０００８】
従来技術として列挙された特許文献の記載内容は、この明細書に記載された技術的要素の説明として、参照によって導入ないし援用することができる。
【課題を解決するための手段】
【０００９】
本発明は上記目的を達成するために、下記の技術的手段を採用する。すなわち、本発明では、車両用空調装置は、内部を空調風が流れ、この空調風の温度を調整する熱交換器が設けられた空調ダクト（２０）を有する。かつ、空調ダクト（２０）内を流れる空調風の上流側に設けられ、空調風を空調用ダクト（２０）に送り込むブロワ（９）が内部に設けられたブロワケーシング（８）を有する。また、ブロワケーシング（８）に車両外部の空気である外気と、車両内部を循環する空気である内気とのいずれかを選択して送り込むダンパ（５）を有する内外気ケース（１）を有する。内外気ケース（１）に外気を送り込むために車両側に設けられ外気を吸い込む車両側外気吸込口（３）と内外気ケース（１）との間に追加ダクト（２）を有する。そして、内外気ケース（１）の追加ダクト（２）を接続する開口部端面（１５）にシール面部（１６）を有し、シール面部（１６）は、車両側外気吸込口（３）に、シール用パッキン（１３ｐ）を介して接続される開口部端面（１５）の少なくとも一部から成る。シール面部（１６）は、追加ダクト（２）の端部に設けられた凸部（１８）と凹凸嵌合され、凸部（１８）と共に嵌合部（１７、１８）を形成する凹部（１７）を有する。
【００１０】
この発明によれば、内外気ケース（１）に外気を送り込むために車両側に設けられ外気を吸い込む車両側外気吸込口（３）と内外気ケース（１）との間に設けられた追加ダクト（２）を備えている。かつ、内外気ケースの追加ダクト（２）を接続する部分にシール面部（１６）を有し、シール面部（１６）は、車両側外気吸込口（３）に、シール用パッキン（１３ｐ）を介して接続される開口部端面（１５）の一部から成る。従って、車両側外気吸込口（３）と内外気ケース（１）との間に追加ダクト（２）を設けないで直接的に車両側外気吸込口（３）と内外気ケース（１）とを接続する場合は、シール面部（１６）にシール用パッキン（１３ｐ）を設けて容易に車両側外気吸込口（３）と内外気ケース（１）とを接続することができる。また、車両側外気吸込口（３）と内外気ケース（１）との間に追加ダクト（２）を設けなければならない場合は、シール面部（１６）に嵌合部（１７）、（１８）を形成する凹部（１７）を有するため、この凹部（１７）に、追加ダクト（２）の端部に設けられた凸部（１８）を嵌合する。この嵌合で容易に内外気ケース（１）と追加ダクト（２）とを接続できる。従って、車両側外気吸込口（３）と内外気ケース（１）とを接続する場合において、追加ダクト（２）を用いたり、用いなかったりすることができるため、寸法の異なる車両間において、内外気ケース（１）を共用することができる。
【００１１】
次の発明では、追加ダクト（２）の端部は、追加ダクト（２）と内外気ケース（１）とが接続された場合に、シール面部（１６）よりも内外気ケース（１）の内部に進入する環状の壁部（１９）を有している。
【００１２】
この発明によれば、車両側外気吸込口（３）から外気と共に水が浸入しても、この水は、シール面部（１６）よりも内外気ケース（１）の内部に進入する環状の壁部（１９）を伝わって、内外気ケース（１）の内部に導かれる。よって、追加ダクト（２）と内外気ケース（１）との間を伝わって水が内外気ケース（１）の外部に導かれることが無い。従って、水が車両内の予期しない部分に浸入することを抑制することができる。
【００１３】
次の発明では、シール面部（１６）は、シール用パッキン（１３ｐ）を配設するための環状の平坦部（１６）を有し、平坦部（１６）は、平坦部（１６）の内周側に外気が導入される外気導入口（７）を有し、平坦部（１６）内に凹部（１７）が形成されている。
【００１４】
この発明によれば、シール面部１６は、シール用パッキン１３ｐを配設するための環状の平坦部１６を有する。従って、この平坦部１６に環状のシール用パッキン１３ｐを配設して、内外気ケース１に車両側外気吸込口３を確実にシールして結合することができる。また、平坦部１６の内周側に外気が導入され、平坦部１６の中に凹部１７が形成されているから、シール用パッキン１３ｐを平坦部１６に配設することができる。
【００１５】
次の発明では、凸部（１８）は、内外気ケース（１）の外気導入口（７）の周りを環状に取囲む環状凸部（１８）から成り、環状の壁部（１９）は、環状凸部（１８）の内周側に設けられている。
【００１６】
この発明によれば、追加ダクト（２）の内部に外気と共に水が侵入しても、内周側の環状の壁部（１９）と外周側の環状凸部（１８）の両方に取囲まれているから、より確実に、水が追加ダクト（２）または内外気ケース（１）の外部に漏れないようにすることができる。従って、水が車両内の予期しない部分に浸入することを抑制することができる。
【００１７】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００１８】
【図１】本発明の第１実施形態における内外気ケースと追加ダクトと車両側外気吸込口との関係を示す模式構成図である。
【図２】上記実施形態における追加ダクトと内外気ケースとの結合状態を示した模式構成図である。
【図３】図２のＹ３にて示す部分の一部拡大断面図である。
【図４】図２のＹ４にて示す部分の一部拡大断面図である。
【図５】図２の矢印Ｙ５−Ｙ５線に沿う部分の一部拡大断面図である。
【図６】上記実施形態において、追加ダクトを設けずに、直接的に内外気ケースと車両側外気吸込口とを接続した状態を示す模式構成図である。
【図７】図６の矢印Ｙ７で示す方向から見た内外気ケースの外気導入口の開口部端面の形状を模式的に示す外形図である。
【発明を実施するための形態】
【００１９】
以下に、図面を参照しながら本発明を実施するための複数の形態を説明する。各形態において先行する形態で説明した事項に対応する部分には同一の参照符号を付して重複する説明を省略する場合がある。各形態において構成の一部を説明している場合は、構成の他の部分については先行して説明した他の形態を適用することができる。
【００２０】
各実施形態で具体的に組合せが可能であることを明示している部分同士の組合せばかりではなく、特に組合せに支障が生じなければ、明示していなくても実施形態同士を部分的に組合せることも可能である。
【００２１】
（第１実施形態）
以下、本発明の第１実施形態について図１ないし図７を用いて詳細に説明する。図１は、本発明の一実施形態における内外気ケース１と追加ダクト２と車両側外気吸込口３との関係を示している。内外気ケース１の中には、軸部４を中心に左右に回動するダンパ５が設けられている。車両側外気吸込口３は、実際には、エンジンルームと車室内とを隔てる隔壁に設けられた外気を取り込む開口部であるが、図１等では模式的に図示している。
【００２２】
このダンパ５の矢印Ｙ０方向に沿う回動によって、内外気ケース１が内気導入口６から車室内の空気を導入する場合と、外気導入口７から車両外部の空気を導入する場合とを切替えている。そして内外気ケース１に導入された内気または外気は、内外気ケース１に接続されたブロワケーシング８に導かれる。ブロワケーシング８内には遠心ファンからなるブロワ９が設けられている。
【００２３】
そして、ブロワ９によって、空調用ダクト２０に空調風を供給している空調用ダクト２０内には空調風を冷却または加熱する図示しない熱交換器と冷却または加熱度合いを調整するエアミックスダンパ等が設けられている。空調用ダクト２０内を流れた空調風は図示しない吹出口から車室内に導かれる。
【００２４】
内外気ケース１と追加ダクト２との境界部である内外気ケース１の外気導入口７部分は、外気と共に浸入してきた水が、追加ダクト２と内外気ケース１との接続部から外部に漏れ出さないようにシールする必要がある。つまり、追加ダクト２と内外気ケース１とが結合される必要がある上に、車両側外気吸込口３と追加ダクト２との間をシールする必要がある。車両側外気吸込口３と追加ダクト２との間には、シール用パッキン２３Ｐが設けられる。矢印Ｙ１は、車両側外気吸込口３を介して追加ダクト２内に導入される外気の流れを示している。矢印Ｙ２は、車室内を循環する空気である内気が、内外気ケース１に導入される内気の流れを示している。
【００２５】
図２は、追加ダクト２と内外気ケース１との結合状態を示している。内外気ケース１には、ダンパ５の軸が挿入される軸穴１１が設けられている。内外気ケース１と追加ダクト２の境界部は、内外気ケース１の外気導入口７と成り、追加ダクト２の先端には、追加ダクト２の外気導入口１２が形成されている。内外気ケース１と追加ダクト２とは、同じ合成樹脂、例えばポリプロピレンが使用されて成型されている。
【００２６】
図３は、図２のＹ３にて示す部分を拡大して示している。図３において、追加ダクト２と内外気ケース１とは、凹凸嵌合により結合されている。次に、図４は、図２のＹ４にて示す部分を一部拡大して示し、内外気ケース１と追加ダクト２との嵌合部を示す。更に、図５は、図２の矢印Ｙ５−Ｙ５線に沿う部分を一部拡大して示している。
【００２７】
図６において、追加ダクト２を設けずに、直接的に内外気ケース１と図１の車両側外気吸込口３とを接続した状態を説明する。車両側外気吸込口３に、内外気ケース１の外気導入口７との接続部には、シール用パッキン１３ｐが設けられるため、内外気ケース１の追加ダクト２を接続する部分に後述するシール面部が形成されている。
【００２８】
図７は、図６の矢印Ｙ７で示す方向から見た内外気ケース１の外気導入口７の開口部端面１５の形状を模式的に示している。この開口部端面１５にて、図２のように内外気ケース１と追加ダクト２とが接続され、また別の場合においては、図６のように直接的に車両側外気吸込口３が内外気ケース１に取り付けられる。開口部端面１５の一部は、シール用パッキン１３ｐが密接するシール面部１６を形成している。
【００２９】
図７の開口部端面１５と車両側外気吸込口３とが追加ダクト２を用いず直接的に接続される場合を説明する。図１においてブロワケーシング８を出た空気は、空調風の温度を調整する図示しない熱交換器が設けられた空調用ダクト２０に流れ込む。この空調ダクト内を流れる空調風の上流側には空調風を空調用ダクトに送り込むブロワ９が設けられ、ブロワ９は、渦巻き型のブロワケーシング８内に設けられている。
【００３０】
ブロワ９は、図示しないブロワモータによって回転する遠心ファンを有し、遠心ファンの中心から風を矢印Ｙ３のように内外気ケース１内の風を吸い込む。ダンパ５によって選択された内気導入口６からの矢印Ｙ２にて示す空気の流れ、または、矢印Ｙ１にて示す外気の空気の流れが、ブロワ９の回転によって引き起こされる。内外気ケース１内には、ブロワケーシング８内に車両外部の外気と車両内部の内気とを選択して送り込むダンパ５を有する。
【００３１】
図１のように、内外気ケース１に外気を取り込むために、車両側に設けられた車両側外気吸込口３と内外気ケース１との間に追加ダクト２を設けないで、図６のように、直接的に内外気ケース１を車両側外気吸込口３に接続することもできる。
【００３２】
図１の構成とするか図６の構成とするかは、内外気ケース１を設ける車両の種類によって異なる。すなわち、車両の取り付け寸法に合わせて、図１のように追加ダクト２を設けたり、追加ダクト２を設けなかったりすることができる。
【００３３】
また、追加ダクト２の寸法は、異なる寸法のものを複数用意すれば、多数の車両間に共通の内外気ケース１を設定することができる。内外気ケース１と追加ダクト２とを接続するために、内外気ケース１を追加ダクト２に接続する部分には、図３および図７のように、シール面部１６が形成されている。このシール面部１６は、シール用パッキン（図６の１３ｐ）を貼ることができる平坦な部分を有している。
【００３４】
図７は、図６の矢印Ｙ７方向から見た内外気ケース１の開口部端面１５を示しており、シール面部１６は、図１、図２のように追加ダクト２の端部に接続される。または、シール面部１６は、図６のように車両側外気吸込口３に、シール用パッキン１３ｐを介して接続される。
【００３５】
図７の開口部端面１５の一部であるシール面部１６には、凹部１７が環状に形成されている。図３から図５に示すように、凹部１７は、追加ダクト２の端部に設けられた凸部１８と凹凸嵌合される。凸部１８は、追加ダクト２の端部に環状に形成され、図３から図５のように凸部１８と凹部１７は、嵌合部１７、１８を形成する。
【００３６】
図３から図５に示すように、追加ダクト２の端部には、追加ダクト２と内外気ケース１とが接続されるように、開口部端面１５の内周側に、内外気ケース１の内部に深く進入する環状の壁部１９が形成されている。
【００３７】
シール面部を１６を有する開口部端面１５は、図６のように内外気ケース１と車両側外気吸込口３とが直接接続される場合に、ゴム製のシール用パッキン１３ｐを配設するために、環状の平坦部を図７のように有している。この環状の平坦部の中には、環状の凹部１７が一巡して設けられている。平坦部の内周側に外気が導入される外気導入口７を有し、この外気導入口７の外周側に凹部１７が外気導入口７を取囲むように設けられている。
【００３８】
図３から図５に示すように、追加ダクト２の内外気ケース１と接続する側に設けられた凸部１８は、内外気ケース１の外気導入口７の周りを環状に取囲む環状凸部１８として形成されている。そして、追加ダクト２の端部に設けられた環状の壁部１９は、環状凸部１８の内周側に設けられている。そして内外気ケース１と追加ダクト２とが凹凸嵌合によって結合され、凸部１８と環状の壁部１９とが図３から図５のように並行して配置されている。
【００３９】
そして、図３において、開口部端面１５から凸部１８先端までの高さＨ１よりも、開口部端面１５から環状の壁部１９の先端までの高さＨ２の方が、高く設定されている。図４においても、開口部端面１５から凸部１８先端までの高さＨ１よりも、開口部端面１５から環状の壁部１９の先端までの高さＨ２の方が、高く設定されている。図５においては、開口部端面１５から凸部１８先端までの高さＨ１よりも、追加ダクト２側の開口部端面１５ｔから環状の壁部１９先端までの高さＨ２ａの方が、高く設定されている。
【００４０】
図５に示すように凸部１８の高さＨ１とは、追加ダクト２と内外気ケース１とが接近するシール面部１６を有する内外気ケース１側の開口部端面１５から凸部１８先端までの長さである。また、環状の壁部１９の高さとは、追加ダクト２と内外気ケース１とが接近する追加ダクト２の内外気ケース１側の開口部端面１５ｔから環状の壁部１９先端までの高さである。
【００４１】
なお、この高さＨ１、Ｈ２（Ｈ２ａ）の関係は、必ずしもＨ２（Ｈ２ａ）のほうがＨ１よりも大きい関係を有していなければ成らないという必須事項ではない。しかし、Ｈ２（Ｈ２ａ）をＨ１よりも大きくする程度の環状の壁部１９の長さを設定する方が、追加ダクト２側から浸入する水が、外部に漏れ出さないようにし易い。
【００４２】
（実施形態の作用効果）
次に上記一実施形態の作用効果について説明する。上記実施形態においては、内部を空調風が流れ、この空調風の温度を調整する熱交換器が設けられた空調ダクト２０が設けられている。空調ダクト２０内を流れる空調風の上流側に設けられ空調風を空調用ダクト２０に送り込むブロワ９が内部に設けられたブロワケーシング８を有する。
【００４３】
ブロワケーシング８に車両外部の空気である外気と、車両内部を循環する空気である内気とのいずれかを選択して送り込むダンパ５を有する内外気ケース１が設けられている。この内外気ケース１に外気を送り込むために、車両側に設けられ外気を吸い込む車両側外気吸込口３と内外気ケース１との間に設けられた追加ダクト２が設けられている。
【００４４】
内外気ケース１の追加ダクト２を接続する開口部端面１５にシール面部１６を有している。このシール面部１６は、図６のように、車両側外気吸込口３に、シール用パッキン１３ｐを介して接続される開口部端面１５の一部から成る。シール面部１６は、図２から図５のように、追加ダクト２の端部に設けられた凸部１８と凹凸嵌合され、凸部１８と共に嵌合部を形成する凹部１７を有している。
【００４５】
これによれば、内外気ケース１に外気を送り込むために、車両側に設けられ外気を吸い込む車両側外気吸込口３と内外気ケース１との間に、追加ダクト２を設けることができる。内外気ケース１の追加ダクト２を接続する開口部端面１５にシール面部１６が設けられ、シール面部１６は、車両側外気吸込口３に、シール用パッキン１３ｐを介して接続されるリング状の開口部端面でもある。従って、車両側外気吸込口３と内外気ケース１との間に追加ダクト２を設けないで直接的に車両側外気吸込口３と内外気ケース１とを接続する場合は、シール面部１６にシール用パッキン１３ｐを設けて、容易に車両側外気吸込口３と内外気ケース１とを接続することができる。
【００４６】
また、車両側外気吸込口３と内外気ケース１との間に追加ダクト２を設けなければならない場合がある。この場合は、シール面部１６に嵌合部を形成する凹部１７を有するため、この凹部１７に、追加ダクト２の端部に設けられた凸部１８を嵌合することで、容易に内外気ケース１と追加ダクト２とを接続できる。従って、車両側外気吸込口３と内外気ケース１とを接続する場合において、追加ダクト２を用いたり、用いなかったりすることができるため、寸法の異なる車両間において、内外気ケース１を共用することができる。
【００４７】
次に、追加ダクト２の端部は、追加ダクト２と内外気ケース１とが接続された場合に、シール面部１６よりも内外気ケース１の内部に進入する環状の壁部１９を有している。
【００４８】
これによれば、車両側外気吸込口３から外気と共に水が浸入しても、この水は、シール面部１６よりも内外気ケース１の内部に進入した環状の壁部１９を伝わって、内外気ケース１の内部に図３〜図５の矢印Ｙ３０のように導かれる。よって、追加ダクト２と内外気ケース１との間を伝わって水が内外気ケース１の外部に導かれることが無い。従って、水が車両内の予期しない部分に浸入することを抑制することができる。
【００４９】
次に、図７のように、シール面部１６は、シール用パッキン１３ｐ（図６）を配設するための環状の平坦部を有し、平坦部は、平坦部の内周側に外気が導入される外気導入口７を有し、平坦部の中に凹部１７が形成されている。
【００５０】
これによれば、シール面部１６は、シール用パッキン１３ｐを配設するための環状の平坦部を有する。従って、この平坦部に環状のシール用パッキン１３ｐを配設して、内外気ケース１に車両側外気吸込口３を直接的に結合することができる。また、平坦部の内周側に外気が導入される外気導入口７を有し、平坦部の中に凹部１７が形成されているから、平坦部１６に貼ったシール用パッキン１３ｐで外気導入口７の周囲をシールすることができる。
【００５１】
次に、凸部１８は、内外気ケース１の外気導入口７の周りを環状に取囲む環状凸部１８から成り、環状の壁部１９は、環状凸部１８の内周側に設けられている。これによれば、追加ダクト２の内部に外気と共に水が侵入しても、図３のように、内周側の環状の壁部１９と外周側の環状凸部１８の両方に水が取囲まれているから、より確実に、水が追加ダクト２または内外気ケース１の外部に漏れないようにできる。
【００５２】
次に、内外気ケース１と追加ダクト２とが凹凸嵌合された場合に、凸部１８と環状の壁部１９とが並行して設けられている。そして、図３〜図５のように、追加ダクト２と内外気ケースの開口部端面１５から凸部１８の先端までの高さＨ１よりも、開口部端面１５（１５ｔ）から環状の壁部１９の先端までの高さＨ２（Ｈ２ａ）の方が高くされている。
【００５３】
詳細には、図３において、追加ダクト２と内外気ケースの対向端面となる開口部端面１５から凸部１８先端までの高さＨ１よりも、開口部端面１５から環状の壁部１９の先端までの高さＨ２の方が、高く設定されている。図４においても、追加ダクト２と内外気ケースの対向端面となる開口部端面１５から凸部１８先端までの高さＨ１よりも、開口部端面１５から環状の壁部１９の先端までの高さＨ２の方が、高く設定されている。図５においては、追加ダクト２と内外気ケースの対向端面となる開口部端面１５から凸部１８先端までの高さはＨ１である。この高さＨ１よりも、追加ダクト２と内外気ケース１の対向端面となる追加ダクト２側の開口部端面１５ｔから環状の壁部１９先端までの高さＨ２ａの方が、高く設定されている。
【００５４】
これによれば、内外気ケース１と追加ダクト２とを結合するときに、先に環状の壁部１９を内外気ケース１内に挿入してから、開口部端面１５の凹部１７と追加ダクト２の端部に設けられた凸部１８とを凹凸嵌合させることができ、組み付けが容易である。また、環状の壁部１９の高さが比較的高いため、より確実に、水が追加ダクト２または内外気ケース１の外部に漏れないようにすることができる。
【００５５】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００５６】
車両側外気吸込口３と追加ダクト２の間のシール用パッキン２３ｐ（図１）および車両側外気吸込口３と内外気ケース１の間のシール用パッキン１３ｐ（図６）は、車両側外気吸込口３と一体に形成されていても良いし、別体のパッキンを貼り付けてもよい。
【００５７】
シール面部１６は、シール用パッキン１３ｐを配設するための環状の平坦部１６を有しており、上記実施形態においては、シール面部１６の全面が平坦部１６と成って、シール面部１６と平坦部１６が同一であるが、シール面部１６の一部に平坦部があっても良い。すなわち、シール面部１６の中に平坦でない部分が混じっていても良い。要は、シール用パッキン１３ｐを用いてシールが成され、追加ダクト２と内外気ケース１とが嵌合できればよい。
【００５８】
また、内外気ケース１の追加ダクト２を接続する開口部端面１５に嵌合部１７、１８を有するが、図示しないタッピングビス等の締結具を用いて、内外気ケース１と追加ダクト２とを接続しても良いことは勿論である。
【符号の説明】
【００５９】
１  内外気ケース
２  追加ダクト
３  車両側外気吸込口
８  ブロワケーシング
１３ｐ  シール用パッキン
１７  凹部
１６  シール面部（平坦部）
１８  凸部（環状凸部）
１９  環状の壁部
２０  空調ダクト
【図１】
2014218163.tif 000003
【図２】
2014218163.tif 000004
【図３】
2014218163.tif 000005
【図４】
2014218163.tif 000006
【図５】
2014218163.tif 000007
【図６】
2014218163.tif 000008
【図７】
2014218163.tif 000009